(57)【要約】【課題】            生産性および耐久性に優れた筆記具用クリップ取付構造及び該筆記具用クリップ取付構造の製造方法を提供する。【解決手段】        軸筒外周部に設けられるクリップ支持部３２と、該クリップ支持部３２に枢支されて揺動可能なクリップ部３５とを備え、クリップ部３５における揺動支点部ｐよりも後部側が軸筒求心方向へ押圧されることで同クリップ部３５の揺動支点部ｐよりも前部側を軸筒遠心方向へ揺動させるようにした筆記具用クリップ取付構造において、クリップ支持部３２には、軸筒求心方向へ弾性的に撓むように後方へ突出した弾性部３３が設けられ、この弾性部３３の後端側には、可撓性を有する接続部３４を介してクリップ部３５の後端側が接続され、クリップ部３５は、その揺動支点部ｐと接続部３４との間を、弾性部３３に対し部分的に当接させている。【選択図】          図１
2008246754.tif 000002
【特許請求の範囲】
【請求項１】
軸筒外周部に設けられるクリップ支持部と、該クリップ支持部に枢支されて揺動可能なクリップ部とを備え、クリップ部における揺動支点部よりも後部側が軸筒求心方向へ押圧されることで同クリップ部の揺動支点部よりも前部側を軸筒遠心方向へ揺動させるようにした筆記具用クリップ取付構造において、
前記クリップ支持部には、軸筒求心方向へ弾性的に撓むように後方へ突出した弾性部が設けられ、この弾性部の後端側には、可撓性を有する接続部を介して前記クリップ部の後端側が接続され、
前記クリップ部は、その揺動支点部と前記接続部との間を、前記弾性部に対し部分的に当接させていることを特徴とする筆記具用クリップ取付構造。
【請求項２】
前記弾性部を、前記クリップ部との当接により軸筒求心方向へ弾性的に撓ませるとともに、前記クリップ部における揺動支点部よりも前部側を軸筒外周面に当接させたことを特徴とする請求項１記載の筆記具用クリップ取付構造。
【請求項３】
前記クリップ支持部と前記クリップ部との内の一方に、軸筒軸方向に沿う凸片部を設けるとともに、その他方に、前記凸片部に嵌り合う凹部を設けたことを特徴とする請求項１又は２記載の筆記具用クリップ取付構造。
【請求項４】
前記クリップ部は、前記クリップ支持部の側部に対し凹凸状に嵌り合うことで、前記揺動支点部を構成することを特徴とする請求項１乃至３何れか１項記載の筆記具用クリップ取付構造。
【請求項５】
軸筒外周部に設けられるクリップ支持部と、該クリップ支持部から後方へ突出して軸筒求心方向へ弾性的に撓むことが可能な弾性部と、該弾性部の後端に可撓性の接続部を介して接続されるクリップ部と、を一体成形した後に、
前記クリップ部を回動して前記クリップ支持部に係合することで、
前記クリップ部における前記接続部よりも前側に、前記クリップ部を揺動させるための揺動支点部を構成するとともに、前記クリップ部における前記揺動支点部と前記接続部との間を、前記弾性部に対し部分的に当接させるようにしたことを特徴とする筆記具用クリップ取付構造の製造方法。
【請求項６】
前記クリップ部を、軸筒外表面に沿うようにして配設される本体部と、該本体部の両側に配設されるとともに該本体部に対し回動可能な側部とから一体的に成形し、
前記各側部を回動させ前記クリップ支持部に嵌め合わせて、前記クリップ部の揺動支点部を構成することを特徴とする請求項５記載の筆記具用クリップ取付構造の製造方法。
【発明の詳細な説明】
【技術分野】
【０００１】
本発明は、筆記具後端部に対する摘み操作により、クリップ先端側を開放できるようにした筆記具用クリップ取付構造に関するものである。
【背景技術】
【０００２】
従来、この種の発明には、例えば特許文献１に記載されているように、筒体１０に対し略Ｕ字上の挟みバネ（２０）の一端側を嵌合し、該挟みバネ（２０）の他端側と前記筒体（１０）の外周面との間にクリップ（３０）を挟むようにして支持したものがある。
しかしながら、前記従来技術によれば、筒体（１０）に挟みバネ（２０）を嵌め合わせる作業が困難な上、挟みバネ（２０）を紛失し易い等、生産性の改善が求められていた。
【０００３】
また、他の関連技術としては、例えば特許文献２に記載された発明のように、クリップ（５）の後端側と軸筒（２）との間に弾性体（１０）を嵌め合わせ、該弾性体（１０）の弾発力によりクリップ（５）の前端側を閉じるようにしたものがある。しかし、この従来技術においても、弾性体（１０）を嵌め合わせる作業が困難であるという生産性の問題を有している。
【０００４】
更に、他の関連技術としては、例えば特許文献３に記載された発明のように、クリップ本体（４）とホルダー本体（５）を揺動可能な屈曲片（６）で連結し、クリップ基端（７）、屈曲片（６）及び支持基端（８）の外周を軟質被覆層（１３）で被覆するとともにクリップ本体（４）と支持基端（８）間を一体的な弾性連結部（１４）で連結したものがある。
この従来技術においても、軟質被覆層（１３）や弾性連結部（１４）を成形する構造であるため、インサート成形等の複雑な成形技術を要する。また、クリップ（１）が繰り返し開閉操作された際には、クリップ本体（４）の後端部と屈曲片（６）との接続箇所等が、疲労破壊するおそれがある。
【特許文献１】特開２００１−１４６０９４号公報
【特許文献２】特開２００５−３１３３２９号公報
【特許文献３】特開２００６−３１５１７９号公報
【発明の開示】
【発明が解決しようとする課題】
【０００５】
本発明は上記従来事情に鑑みてなされたものであり、その課題とする処は、生産性および耐久性に優れた筆記具用クリップ取付構造及び該筆記具用クリップ取付構造の製造方法を提供することにある。
【課題を解決するための手段】
【０００６】
上記課題を解決するために本発明に係る筆記具用クリップ取付構造は、軸筒外周部に設けられるクリップ支持部と、該クリップ支持部に枢支されて揺動可能なクリップ部とを備え、クリップ部における揺動支点部よりも後部側が軸筒求心方向へ押圧されることで同クリップ部の揺動支点部よりも前部側を軸筒遠心方向へ揺動させるようにした筆記具用クリップ取付構造において、前記クリップ支持部には、軸筒求心方向へ弾性的に撓むように後方へ突出した弾性部が設けられ、この弾性部の後端側には、可撓性を有する接続部を介して前記クリップ部の後端側が接続され、前記クリップ部は、その揺動支点部と前記接続部との間を、前記弾性部に対し部分的に当接させていることを特徴とする。
【０００７】
ここで、前記弾性部は、軸筒遠心方向からの押圧力により軸筒求心方向へ弾性的に撓み、その押圧力が除去されると弾性的に復元する部材であればよく、例えば、金属や合成樹脂材料等から構成され、特に好ましくは合成樹脂材料から構成される。
また、前記接続部は、前記弾性部の後端側と前記クリップ部の後端側とを接続する部分であり、製造性を良好にする観点から可撓性を有する構成とするのが好ましく、特に好ましくは、前記弾性部及び前記クリップ部よりも薄肉な合成樹脂材料から構成される。
また、前記クリップ支持部と前記弾性部と前記接続部と前記クリップ部は、別体の部材を一体的に接続してなる態様としてもよいが、より好ましくは、合成樹脂材料から一体成形した態様とされる。
【０００８】
また、より好ましい態様としては、前記弾性部を、前記クリップ部との当接により軸筒求心方向へ弾性的に撓ませるとともに、前記クリップ部における揺動支点部よりも前部側を軸筒外周面に当接させたことを特徴とする。
【０００９】
更に好ましい態様としては、前記クリップ支持部と前記クリップ部との内の一方に、軸筒軸方向に沿う凸片部を設けるとともに、その他方に、前記凸片部に嵌り合う凹部を設けたことを特徴とする。
【００１０】
更に好ましい態様としては、前記クリップ部は、前記クリップ支持部の側部に対し凹凸状に嵌り合うことで、前記揺動支点部を構成することを特徴とする。
【００１１】
また、本発明に係る筆記具用クリップ取付構造の製造方法は、軸筒外周部に設けられるクリップ支持部と、該クリップ支持部から後方へ突出して軸筒求心方向へ弾性的に撓むことが可能な弾性部と、該弾性部の後端に可撓性の接続部を介して接続されるクリップ部と、を一体成形した後に、前記クリップ部を回動して前記クリップ支持部に係合することで、前記クリップ部における前記接続部よりも前側に、前記クリップ部を揺動させるための揺動支点部を構成するとともに、前記クリップ部における前記揺動支点部と前記接続部との間を、前記弾性部に対し部分的に当接させるようにしたことを特徴とする。
【００１２】
更に好ましい態様としては、前記クリップ部を、軸筒外表面に沿うようにして配設される本体部と、該本体部の両側に配設されるとともに該本体部に対し回動可能な側部とから一体的に成形し、前記各側部を回動させ前記クリップ支持部に嵌め合わせて、前記クリップ部の揺動支点部を構成することを特徴とする。
【発明の効果】
【００１３】
本発明は、以上説明したように構成されているので、以下に記載されるような作用効果を奏する。
クリップ支持部やクリップ部、支持部分等を一体的に構成しているため、クリップ部や支持部分等が別体に構成された従来構造に比較し、製造中における部品の紛失や脱落等が少なく、生産性が良好である。
しかも、揺動支点部と接続部との間が弾性部に対し部分的に当接しているので、接続部に加わる荷重を比較的小さくすることができ、ひいては、繰返し荷重等により接続部が破損するようなことを防ぐことができる。
よって、筆記具用クリップ取付構造の生産性及び耐久性を向上することができる。
【発明を実施するための最良の形態】
【００１４】
以下、本発明の実施の形態を図面に基づいて説明する。
図１は、本発明に係わる筆記具用クリップ取付構造の一例を備えた筆記具Ａを示している。
筆記具Ａは、軸筒１０後端側のノック操作によりボールペンリフィール２０先端の筆記部（図示せず）を出没させるようにした出没式ボールペンであり、軸筒１０外周面の後端側には、クリップ支持部３２やクリップ部３５等を有するリフィール進退ユニット３０が構成されている。
そして、この筆記具Ａは、クリップ部３５における揺動支点部ｐよりも後部側が軸筒求心方向（図１における下方）へ押圧されることで、同クリップ部３５の揺動支点部ｐよりも前部側を、図１（ｂ）に示すように軸筒遠心方向（図１における上方）へ揺動させる。
【００１５】
リフィール進退ユニット３０は、軸筒１０の後端開口部に嵌合固定されて軸筒１０の後端部分を構成する後端筒部３１の内部に、ボールペンリフィール２０を進退させるリフィール進退機構３６を構成している。
【００１６】
後端筒部３１は、前側の小径部３１ａと後側の大径部３１ｂとからなる略段付筒状を呈し、小径部３１ａを軸筒１０の後端開口部内に嵌合固定するとともに、大径部３１ｂを軸筒１０後方へ露出している。
そして、この後端筒部３１の外周面には、クリップ支持部３２や、弾性部３３、接続部３４、クリップ部３５等が一体成形されている。
【００１７】
クリップ支持部３２は、図示例によれば、前記後端筒部３１の外周面から遠心方向へ突出した略中空直方体状に形成され、その突端面には、後述するクリップ部３５の凸片部３５ｃに嵌り合うように、凹部３２ａが設けられている（図２参照）。
また、クリップ支持部３２の両側壁には、後述するクリップ部３５の側部３５ｅを凹凸状に嵌め合わせるための貫通孔３２ｂ，３２ｂが設けられている。
そして、このクリップ支持部３２の後部側には、軸筒求心方向へ弾性的に撓むように、後方へ突出する弾性部３３が設けられている。
【００１８】
弾性部３３は、図示例によれば、前記クリップ支持部３２から後方へ延設された略先細状であり、その先端側を、後述するクリップ部３５から受ける押圧力によって軸筒求心方向へ弾性的に撓ませるようにしている。
そして、この弾性部３３の先端部（換言すれば後端部）には、可撓性を有する接続部３４を介してクリップ部３５の後端部が接続されている。
【００１９】
前記接続部３４は、前記弾性部３３や後述するクリップ部３５に比して薄肉に形成されることで、撓み可能に構成された部分である。この接続部３４は、クリップ部３５を回動させてクリップ支持部３２に組付ける際の揺動支点部ｐとなる。
【００２０】
また、クリップ部３５は、その後端部が前記接続部３４に接続され、図２および図３（ａ）に示すように、クリップ支持部３２（あるいは軸筒１０）に対し交差する位置に（図示例によれば略垂直に）配設され成形されている。
そして、このクリップ部３５は、接続部３４を撓ませながら回動してクリップ支持部３２に嵌り合うことで揺動支点部ｐを構成するとともに（図３（ａ）（ｂ）参照）、この揺動支点部ｐと接続部３４との間の当接部３５ｂを、弾性部３３に対し部分的に当接させている。
【００２１】
より詳細に説明すれば、クリップ部３５は、軸筒１０に沿う平板状に形成された本体部３５ａと、該本体部３５ａにおける裏面の後端側から弾性部３３へ向かって突出する当接部３５ｂと、該当接部３５ｂよりも前側に配設された凸片部３５ｃと、本体部３５ａにおける裏面の前端側に突設された玉部３５ｄと、本体部３５ａ後端側の両側に略鍔状に突設された側部３５ｅ，３５ｅとを一体的に備えている。
【００２２】
当接部３５ｂは、その突端側が、軸筒軸方向に略直交する半円柱状に形成され、クリップ部３５がクリップ支持部３２に組み付けられた際、弾性部３３に対し当接する。
凸片部３５ｃは、軸筒軸方向に沿うようにして配設された略平板状の突起であり、クリップ支持部３２の凹部３２ａに対し遊嵌される。この遊嵌状態についてより詳細に説明すれば、クリップ部３５がクリップ支持部３２に対し軸筒周方向へガタつくことのないように、クリップ部３５と凹部３２ａとの隙間が必要最小限の寸法に設定されている。なお、この隙間が無く、クリップ部３５が凹部３２ａに摺接して嵌り合うようにしてもよい。
【００２３】
各側部３５ｅは、本体部３５ａと略面一となる位置から本体部３５ａと略直角になる位置に曲げられるように、薄肉な接続部３５ｅ１によって本体部３５ａに接続されている（図４参照）。
【００２４】
前記側部３５ｅには、クリップ支持部３２の側壁の貫通孔３２ｂに対し挿入されて、クリップ部３５の揺動支点部ｐを構成する突起３５ｅ２が設けられている。
この突起３５ｅ２は、貫通孔３２ｂに挿入された際に引き抜けないように、先端側が拡径された略円柱状に形成されている。
【００２５】
上記構成の後端筒部３１、クリップ支持部３２、弾性部３３、接続部３４、およびクリップ部３５は、例えば、ＰＥＴ（ポリエチレンテレフタレート）、ＰＣ（ポリカーボネート）、ＰＰ（ポリプロピレン）、ＰＯＭ（ポリアセタール）、ＧＦＲＰ（ガラス繊維強化プラスチック）等、弾性的に撓むことが可能な合成樹脂材料によって一体成形される。
なお、弾性部３３は、二重成形によって他の部分とは異なる合成樹脂材料とすることも可能であり、この場合、この弾性部３３は、他の部分よりも弾性の高い合成樹脂材料（例えばエラストマー樹脂等）とするのが好ましい。
【００２６】
また、リフィール進退機構３６は、後端筒部３１の内周面に形成されるスライド溝３１ｃ、該スライド溝３１ｃに案内されて進退するノック操作部３６ａ、該ノック操作部３６ａ前端面の傾斜面に係合して回転する回転子３６ｂ、該回転子３６ｂ及び該回転子３６ｂ内に嵌合されたボールペンリフィール２０を後方へ付勢するスプリング３６ｃ、該スプリング３６ｃを前方側から受ける受け部材３６ｄ等によって構成された周知の進退機構（例えば特開2004-209881参照）である。
このリフィール進退機構３６によれば、ノック操作部３６ａに対するノック操作により、ボールペンリフィール２０の筆記部（図示せず）を軸筒１０先端から出没させることができる。
【００２７】
次に、上記筆記具Ａにおけるクリップ部３５の組付け手順について詳細に説明する。
上記クリップ部３５は、クリップ支持部３２に対し係合する前の状態では、図３（ａ）に示すように、クリップ支持部３２から離間して、クリップ支持部３２および弾性部３３に対し略直角になるように位置する。
このクリップ部３５は、軸筒後方から押動されると、接続部３４を撓ませながら回動し、凸片部３５ｃがクリップ支持部３２の凹部３２ａに遊嵌する。
【００２８】
よって、図４（ａ）に示すように、クリップ部３５の凸片部３５ｃとクリップ支持部３２の凹部３２ａとが嵌り合い、クリップ部３５の軸筒周方向への触れが抑制されることになる。
【００２９】
次に、図４（ｂ）に示すように、クリップ部３５の側部３５ｅが回動され、該側部３５ｅ内面の突起３５ｅ２がクリップ支持部３２の貫通孔３２ｂに挿入されることで、クリップ部３５を揺動させるための揺動支点部ｐが構成される。
この際、図３（ｂ）に示すように、クリップ部３５前端側の玉部３５ｄが軸筒１０外周面に当接するとともに、弾性部３３の後端側が、当接部３５ｂからの押圧力を受けて軸筒求心方向（図示の下方）へ撓み、この撓み状態が維持されることになる。
したがって、玉部３５ｄと軸筒１０外周面との間に隙間が生じるようなことを防ぐことができ、挟持される紙や衣類等の被挟持物を、弾性部３３の弾性的な復元力により確りと挟持することができる。
【００３０】
また、被挟持物が比較的厚い物である場合には、図１（ｂ）に示すようにクリップ部３５と軸筒１０との後端部同士を摘むようにして、クリップ部３５後端部に軸筒求心方向の押圧力を加えれば、弾性部３３が弾性的に撓み、クリップ部３５の前部側が揺動支点部ｐを中心に軸筒遠心方向へ揺動し、クリップ部３５の玉部３５ｄと軸筒１０外周面との間を広げることができる。
そして、前記押圧力が解除されれば、弾性部３３の弾性的な復元力により、クリップ部３５前部側が軸筒求心方向へ揺動する。
【００３１】
また、当接部３５ｂの作用を詳細に述べれば、弾性部３３は、当接部３５ｂにより部分的に当接されるため、その当接箇所に局部的な荷重を受けることになる。そのため、例えば接続部３４等のように前記当接箇所以外の箇所が、クリップ部３５から受ける圧縮荷重によって破損してしまうようなことを防ぐことができる。
すなわち、仮に上記筆記具用クリップ取付構造から当接部３５ｂを省いた構成とした場合には、クリップ部３５後端側に受ける押圧力が接続部３４に加わるため、接続部３４の破損が懸念される。しかしながら、本実施の形態によれば、前記のような接続部３４の破損を防ぐことができる上、接続部３４を容易に撓ませることが可能な薄肉状に形成して、クリップ部３５を回動させてクリップ支持部３２に係合する際の製造作業性を向上することができる。
なお、前記した当接部３５ｂの作用によって、接続部３４に引張荷重を受ける可能性もあるが、一般的に合成樹脂材料が圧縮荷重に比して引張荷重に強靭なことより、引張荷重によって接続部３４の破損を招く可能性は少ない。
【００３２】
また、上記実施の形態によれば、クリップ部３５の側部３５ｅを回動させてクリップ支持部３２の貫通孔３２ｂに嵌め合わせるようにしたが、他例としては、図５や図６に示す態様とすることが可能である。なお、以下に示す態様において、上記筆記具Ａと略同様の構成については、同一の符号を付けることで重複する詳細説明を省略する。
【００３３】
図５に示す態様では、上記筆記具Ａに対し、クリップ部３５をクリップ部３５’に置換するとともに、クリップ支持部３２をクリップ支持部３２’に置換し、クリップ部３５’とクリップ支持部３２’の側部同士を凹凸状に嵌め合わせて、より簡素な構造の揺動支点部ｐを構成するようにしている。
詳細に説明すれば、クリップ部３５’は、下方を開口した断面略凹状に形成され、その両側部の各々の内面に、断面略半円状の凹部３５ａ’を有する。
また、クリップ支持部３２’は、前記クリップ部３５’に嵌り合う断面略凸状に形成され、その両側面の各々に、前記凹部３５ａ’と嵌り合う断面略半円状の凸部３２ａ’を有する。
そして、クリップ部３５’は、クリップ支持部３２’に対し上方から嵌り合う際、両側壁間を弾性的に広げて、凹部３５ａ’を凸部３２ａ’に対し嵌め合わせる。
【００３４】
また、図６に示す態様では、上記筆記具Ａに対し、クリップ部３５をクリップ部３５”に置換するとともに、クリップ支持部３２をクリップ支持部３２”に置換し、軸部材５０を加えた構成としている。
クリップ部３５”は、開口部を下方へ向けた断面略凹状に形成され、その両側壁の各々に貫通孔３５ａ”を形成している。
また、クリップ支持部３２”は、前記クリップ部３５”に嵌り合う断面略凸状に形成され、クリップ部３５”の両貫通孔３５ａ”，３５ａ”に連通するように貫通孔３２ａ”を形成している。
軸部材５０は、一端側（図６によれば左端側）に拡径された頭部を有するピン状の部材であり、クリップ部３５”側の両貫通孔３５ａ”，３５ａ”およびクリップ支持部３２”の貫通孔３２ａ”に挿通され、その突端部がカシメられる。
よって、図６に示す態様によれば、軸部材５０を揺動支点部ｐとして、クリップ部３５”を揺動させることができる。
【００３５】
なお、図示例の筆記具Ａによれば、揺動支点部ｐと接続部３４との間において、クリップ部３５側に突設された当接部３５ｂを弾性部３３に対し部分的に当接させる構成としたが、他例として、前記当接部３５ｂを省くとともに、弾性部３３側に当接部（図示せず）を突設し、この当接部をクリップ部３５の裏面に当接させるようにしてもよい。
【図面の簡単な説明】
【００３６】
【図１】本発明に係る筆記具用クリップ取付構造の一例を示す断面図であり、（ａ）はクリップ部が閉鎖された状態を示し、（ｂ）はクリップ部が開放された状態を示す。
【図２】同取付構造の斜視図である。
【図３】同取付構造の組立手順を（ａ）と（ｂ）に順次に示す要部断面図である。
【図４】同取付構造の組立手順を（ａ）と（ｂ）に順次に示す要部断面図である。
【図５】本発明に係る筆記具用クリップ取付構造の他例を示す要部断面図である。
【図６】本発明に係る筆記具用クリップ取付構造の他例を示す要部断面図である。
【符号の説明】
【００３７】
１０：軸筒
３２：クリップ支持部
３２ａ：凹部
３３：弾性部
３４：接続部
３５：クリップ部
３５ａ：本体部
３５ｂ：当接部
３５ｃ：凸片部
Ａ：筆記具
ｐ：揺動支点部
【図１】
2008246754.tif 000003
【図２】
2008246754.tif 000004
【図３】
2008246754.tif 000005
【図４】
2008246754.tif 000006
【図５】
2008246754.tif 000007
【図６】
2008246754.tif 000008